(57)【特許請求の範囲】
【請求項１】
鋼製の主桁を有する鋼桁部と、プレストレストコンクリート製の主桁を有するＰＣ桁部とが、径間部において橋軸方向に接合されてなる混合桁を備えた連続桁橋において、
上記鋼桁部と上記ＰＣ桁部との接合部における主桁部分が、上記鋼桁部の主桁の端部を埋め込むようにしてコンクリートを打設することにより形成された鋼コンクリート複合部として構成されており、
この鋼コンクリート複合部において、上記ＰＣ桁部の主桁に配置される複数のＰＣ鋼材の定着が行われている、ことを特徴とする連続桁橋。
【請求項２】
上記複数のＰＣ鋼材の定着が、上記鋼コンクリート複合部における橋軸方向の複数箇所において行われている、ことを特徴とする請求項１記載の連続桁橋。
【請求項３】
上記鋼桁部の主桁が、プレートガーダとして構成されており、
この主桁の下フランジの下面により鋼コンクリート複合部の下端面が構成されている、ことを特徴とする請求項１または２記載の連続桁橋。
【請求項４】
上記鋼桁部の主桁における上記ＰＣ桁部側の端部が、上記下フランジよりも上記上フランジが短尺となるように形成されている、ことを特徴とする請求項３記載の連続桁橋。
【請求項５】
上記鋼桁部の主桁と上記ＰＣ桁部の主桁とが、橋軸直交方向に互いに変位した状態で配置されており、
上記鋼桁部における主桁の下フランジが、上記鋼コンクリート複合部の位置において、該主桁のウェブに関して上記ＰＣ桁部の主桁側に位置する部分が相対的に広幅となるように形成されており、
上記複数のＰＣ鋼材の上記鋼コンクリート複合部への定着が、上記鋼桁部における主桁のウェブよりも上記ＰＣ桁部の主桁側において行われている、ことを特徴とする請求項３または４記載の連続桁橋。
【発明の詳細な説明】
【技術分野】
【０００１】
本願発明は、鋼製の主桁を有する鋼桁部と、プレストレストコンクリート（ＰＣ）製の主桁を有するＰＣ桁部とが、径間部において橋軸方向に接合されてなる混合桁を備えた連続桁橋に関するものである。
【背景技術】
【０００２】
混合桁は、鋼桁部とＰＣ桁部とが径間部において橋軸方向に接合された構成を有しているので、これを連続桁橋に適用することにより、支間長に長短がある場合であっても、支間相互間の応力バランスをとることが可能となる。例えば、中央支間長が長い３径間連続桁橋において、その中央径間に、軽くて施工性に優れた鋼桁を配置するとともに、その側径間に、重量のある混合桁を配置することにより、橋長を抑えた上で応力バランスをとることが可能となる。
【０００３】
一方、このような混合桁においては、その鋼桁部とＰＣ桁部との接合部に応力集中を生じさせることなく、鋼桁部およびＰＣ桁部間における応力伝達を滑らかに行わせることが必要となる。
【０００４】
このため従来、例えば「特許文献１」に記載されているように、混合桁における鋼桁部とＰＣ桁部との接合部に位置する横桁に、新たなＰＣ構造を設けることにより、鋼桁部およびＰＣ桁部間における応力伝達を滑らかに行わせる工夫がなされている。
【０００５】
図７は、上記従来の混合桁における鋼桁部とＰＣ桁部との接合部を、橋軸方向に沿った側断面で示す図である。
【０００６】
同図に示すように、この混合桁１２０における鋼桁部１２０ＡとＰＣ桁部１２０Ｂとの接合部１２０Ｃは、該接合部１２０Ｃに位置する横桁１２６における鋼桁部１２０Ａ寄りの部分にセル状の鋼殻部１４０を形成しておき、この横桁１２６に対して複数のＰＣ鋼材１５０を橋軸方向に延びるように配置して、これらを緊張することにより、プレストレスが導入される構成となっている。そして、このようなＰＣ構造を設けることにより、接合部１２０Ｃに応力集中が生じないようにしている。
【先行技術文献】
【特許文献】
【０００７】
【特許文献１】特開２００３−２３２００９号公報
【発明の概要】
【発明が解決しようとする課題】
【０００８】
しかしながら、上記従来の混合桁１２０においては、その鋼桁部１２０ＡとＰＣ桁部１２０Ｂとの接合部１２０Ｃに位置する横桁１２６に、新たなＰＣ構造が設けられることとなるので、そのための複数のＰＣ鋼材１５０が必要となる。また、これら複数のＰＣ鋼材１５０を定着するために、横桁１２６の橋軸方向長さをある程度長くすることが必要となり、その重量がかなり大きなものとなる。しかも、セル状の鋼殻部１４０が必要となるため、その鋼重がかなり大きなものとなる。さらに、この鋼殻部１４０にはコンクリートを充填する必要があるが、その施工を行うことは容易でない。
【０００９】
以上のことから、上記従来の混合桁１２０においては、鋼桁部１２０ＡとＰＣ桁部１２０Ｂとの接合部１２０Ｃの重量がかなり大きいものとなってしまい、かつ、この接合部１２０Ｃの施工に多大な時間とコストがかかってしまう、という問題がある。
【００１０】
本願発明は、このような事情に鑑みてなされたものであって、鋼桁部とＰＣ桁部とが径間部において橋軸方向に接合されてなる混合桁を備えた連続桁橋において、その鋼桁部とＰＣ桁部との接合部の軽量化を図ることができるとともに施工時間の短縮および施工コストの低減を図ることができる連続桁橋を提供することを目的とするものである。
【課題を解決するための手段】
【００１１】
本願発明は、鋼桁部とＰＣ桁部との接合部を、ＰＣ桁部の主桁に配置されるＰＣ鋼材を利用したＰＣ構造とすることにより、上記目的達成を図るようにしたものである。
【００１２】
すなわち、本願発明に係る連続桁橋は、
鋼製の主桁を有する鋼桁部と、プレストレストコンクリート製の主桁を有するＰＣ桁部とが、径間部において橋軸方向に接合されてなる混合桁を備えた連続桁橋において、
上記鋼桁部と上記ＰＣ桁部との接合部における主桁部分が、上記鋼桁部の主桁の端部を埋め込むようにしてコンクリートを打設することにより形成された鋼コンクリート複合部として構成されており、
この鋼コンクリート複合部において、上記ＰＣ桁部の主桁に配置される複数のＰＣ鋼材の定着が行われている、ことを特徴とするものである。
【００１３】
上記「混合桁」は、単一の主桁を有するものであってもよいし、複数の主桁を有するものであってもよい。
【００１４】
上記「鋼桁部」および「ＰＣ桁部」における主桁以外の部分の具体的構成は、特に限定されるものではない。
【００１５】
上記「鋼製の主桁」の断面形状は、特に限定されるものではなく、例えば、Ｉ形断面、箱形断面等が採用可能である。
【００１６】
上記「プレストレストコンクリート製の主桁」の断面形状についても、特に限定されるものではなく、また、そのコンクリート部分は、コンクリートのみで構成されていてもよいし、鉄筋コンクリートで構成されていてもよい。
【００１７】
上記「複数のＰＣ鋼材」の具体的な構成およびその配置本数は、特に限定されるものではない。また、これら「複数のＰＣ鋼材」の具体的な定着位置についても、特に限定されるものではない。
【発明の効果】
【００１８】
上記構成に示すように、本願発明に係る連続桁橋は、鋼桁部とＰＣ桁部とが径間部において橋軸方向に接合されてなる混合桁を備えているが、この混合桁は、その鋼桁部とＰＣ桁部との接合部における主桁部分が、その鋼桁部の主桁の端部を埋め込むようにしてコンクリートを打設することにより形成された鋼コンクリート複合部として構成されており、そして、この鋼コンクリート複合部において、ＰＣ桁部の主桁に配置される複数のＰＣ鋼材の定着が行われているので、その接合部に応力集中を生じさせることなく、鋼桁部およびＰＣ桁部間における応力伝達を滑らかに行わせることができる。
【００１９】
その際、本願発明に係る混合桁においては、従来のように鋼桁部とＰＣ桁部との接合部に位置する横桁に、新たなＰＣ構造を設ける必要がなくなるので、そのための複数のＰＣ鋼材が不要となる。またこれにより、これら複数のＰＣ鋼材を定着する必要もなくなるので、横桁の橋軸方向長さを、構造上必要な長さまで大幅に短縮することができる。
【００２０】
しかも、本願発明に係る混合桁においては、従来のようなセル状の鋼殻部が不要となるので、その鋼重を大幅に低減することができ、さらに、この鋼殻部にコンクリートを充填する必要もなくなるので、施工性を大幅に向上させることができる。
【００２１】
したがって本願発明によれば、鋼桁部とＰＣ桁部とが径間部において橋軸方向に接合されてなる混合桁を備えた連続桁橋において、その鋼桁部とＰＣ桁部との接合部の軽量化を図ることができるとともに施工時間の短縮および施工コストの低減を図ることができる。
【００２２】
上記構成において、ＰＣ桁部の主桁に配置される複数のＰＣ鋼材の定着が、鋼コンクリート複合部における橋軸方向の複数箇所において行われる構成とすれば、鋼桁部およびＰＣ桁部間における応力伝達を一層滑らかに行わせることができる。
【００２３】
上記構成において、鋼桁部の主桁がプレートガーダとして構成される場合には、この主桁の下フランジの下面により鋼コンクリート複合部の下端面が構成されるようにすれば、鋼桁部とＰＣ桁部との接合部に生じる正の曲げモーメントにより、鋼コンクリート複合部のコンクリート部分が損傷してしまわないようにすることができる。
【００２４】
この場合において、鋼桁部の主桁におけるＰＣ桁部側の端部が、その下フランジよりも上フランジが短尺となるように形成された構成とすれば、鋼桁部およびＰＣ桁部間における応力伝達をより一層滑らかに行わせることができる。
【００２５】
また、この場合において、鋼桁部の主桁とＰＣ桁部の主桁とが、橋軸直交方向に互いに変位した状態で配置された混合桁においては、その鋼桁部における主桁の下フランジが、鋼コンクリート複合部の位置において、該主桁のウェブに関してＰＣ桁部の主桁側に位置する部分が相対的に広幅となるように形成された構成とするとともに、複数のＰＣ鋼材の鋼コンクリート複合部への定着が、鋼桁部における主桁のウェブよりもＰＣ桁部の主桁側において行われる構成とすれば、鋼桁部の主桁とＰＣ桁部の主桁とが、橋軸直交方向に互いに変位しているにもかかわらず、複数のＰＣ鋼材の配置を無理なく行うことができ、これにより鋼桁部およびＰＣ桁部間における応力伝達機能を十分維持することができる。
【図面の簡単な説明】
【００２６】
【図１】本願発明の一実施形態に係る混合桁を備えた連続桁橋を示す、橋軸方向に沿った側面図
【図２】図１のII-II 線断面図
【図３】図２のIII-III 線断面図
【図４】図２のIV-IV 線断面図
【図５】上記混合桁における一方の主桁を、橋軸方向の複数箇所における橋軸直交断面で示す図
【図６】上記一方の主桁の要部を示す斜視図
【図７】従来例を示す、図４と同様の図
【発明を実施するための形態】
【００２７】
以下、図面を用いて、本願発明の実施の形態について説明する。
【００２８】
図１は、本願発明の一実施形態に係る混合桁２０を備えた連続桁橋１０を示す、橋軸方向に沿った側面図であり、図２は、そのII-II 線断面図である。また、図３および４は、図２のIII-III 線およびIV-IV 線断面図である。
【００２９】
これらの図に示すように、この連続桁橋１０は、中央径間の支間長が長い３径間連続桁橋であって、その中央径間に鋼桁１２が配置されるとともに、その橋軸方向両側の側径間に混合桁２０が各々配置された構成となっている。これら１対の混合桁２０は、いずれも同様の構成を有しているので、以下、その一方の混合桁２０について説明する。
【００３０】
本実施形態に係る混合桁２０は、左右１対の主桁２２の上端部に上床版２４が配置されてなる二主桁構造を有している。そして、この混合桁２０は、鋼製の主桁２２Ａを有する鋼桁部２０Ａと、プレストレストコンクリート製の主桁２２Ｂを有するＰＣ桁部２０Ｂとが、径間部において橋軸方向に接合された構成となっている。
【００３１】
その際、この混合桁２０の各主桁２２は、そのＰＣ桁部２０Ｂの各主桁２２Ｂが、その鋼桁部２０Ａの各主桁２２Ａに対して、橋軸直交方向内側へ多少変位した状態で配置されている。
【００３２】
鋼桁部２０Ａの各主桁２２Ａは、ウェブ２２Ａ１、上フランジ２２Ａ２および下フランジ２２Ａ３からなるプレートガーダとして構成されている。一方、ＰＣ桁部２０Ｂの各主桁２２Ｂは、逆台形の断面形状を有している。
【００３３】
そして、混合桁２０における鋼桁部２０ＡとＰＣ桁部２０Ｂとの接合部２０Ｃは、その左右１対の主桁部分が、鋼桁部２０Ａの各主桁２２Ａの端部を埋め込むようにしてコンクリートを打設することにより、ＰＣ桁部２０Ｂの各主桁２２Ｂの延長上に形成された鋼コンクリート複合部２２Ｃとして構成されている。
【００３４】
これら各鋼コンクリート複合部２２Ｃは、ＰＣ桁部２０Ｂの各主桁２２Ｂと同様、逆台形の断面形状を有している。ただし、これら各鋼コンクリート複合部２２Ｃは、ＰＣ桁部２０Ｂの各主桁２２Ｂよりも広幅で形成されており、これにより、ＰＣ桁部２０Ｂの各主桁２２Ｂと鋼桁部２０Ａの各主桁２２Ａとの橋軸直交方向の変位分を吸収するようになっている。
【００３５】
これら各鋼コンクリート複合部２２ＣおよびＰＣ桁部２０Ｂの各主桁２２Ｂにおけるコンクリート部分は、鉄筋コンクリート（ＲＣ）で構成されている。
【００３６】
混合桁２０における接合部２０Ｃの鋼桁部２０Ａ側の端部には、橋軸直交方向に延びる鉄筋コンクリート製の横桁２６が配置されている。
【００３７】
上床版２４は、鉄筋コンクリート製であり、その橋軸直交方向には複数のＰＣ鋼材（図示せず）が配置されている。また、この上床版２４におけるＰＣ桁部２０Ｂの部分には、その橋軸方向にも複数のＰＣ鋼材（図示せず）が配置されている。
【００３８】
本実施形態に係る混合桁２０は、左右対称形状を有しているので、以下、その左右１対の主桁２２のうちの一方について説明する。
【００３９】
図５は、一方の主桁２２を、橋軸方向の複数箇所における橋軸直交断面で示す図である。具体的には、同図（ａ）は、図４のVa-Va 線断面図であり、同図（ｂ）は、図４のVb-Vb 線断面図であり、同図（ｃ）は、図４のVc-Vc 線断面図であり、同図（ｄ）は、図４のVd-Vd 線断面図である。また、図６は、一方の主桁２２の要部を示す斜視図である。
【００４０】
これらの図にも示すように、鋼桁部２０Ａの主桁２２ＡにおけるＰＣ桁部２０Ｂ側の端部は、そのウェブ２２Ａ１および下フランジ２２Ａ３よりも上フランジ２２Ａ２が短尺となるように形成されている。具体的には、ウェブ２２Ａ１および下フランジ２２Ａ３は、鋼コンクリート複合部２２ＣにおけるＰＣ桁部２０Ｂ側の端部位置まで延びており、上フランジ２２Ａ２は、鋼コンクリート複合部２２Ｃにおける橋軸方向の略中央位置まで延びている。
【００４１】
鋼桁部２０Ａの主桁２２ＡにおけるＰＣ桁部２０Ｂ側の端部（すなわち鋼コンクリート複合部２２Ｃに埋め込まれる部分）には、そのウェブ２２Ａ１の両面と、その上フランジ２２Ａの上面と、その下フランジ２２Ａ３の上面とに、複数のスタッドジベル２８が設けられている。これら複数のスタッドジベル２８は、鋼コンクリート複合部２２Ｃにおける鋼桁部２０Ａ側の端面２２Ｃ１に近い位置において、相対的に密になるように配置されている。
【００４２】
鋼桁部２０Ａの主桁２２Ａは、その下フランジ２２Ａ３が、ＰＣ桁部２０Ｂ側の端部およびその近傍において、そのウェブ２２Ａ１よりも橋軸直交方向内側に位置する部分が相対的に広幅となるように形成されている。その際、この下フランジ２２Ａ３における橋軸直交方向内側の端縁の位置は、ＰＣ桁部２０Ｂの主桁２２Ｂの下端面における橋軸直交方向内側の端縁と同じ位置に設定されている。
【００４３】
接合部２０Ｃの主桁部分である鋼コンクリート複合部２２Ｃは、上述したように、広幅の逆台形の断面形状を有しているが、その下端面は、鋼桁部２０Ａの主桁２２Ａにおける下フランジ２２Ａ３の下面により構成されている。そして、この下フランジ２２Ａ３の下面と面一となるように、ＰＣ桁部２０Ｂの主桁２２Ｂの下端面が形成されている。
【００４４】
ＰＣ桁部２０Ｂの主桁２２Ｂには、橋軸方向に延びる複数のＰＣ鋼材３０が配置されている。これら複数のＰＣ鋼材３０における鋼桁部２０Ａ側の端部の定着は、鋼コンクリート複合部２２Ｃにおける橋軸方向の３箇所において行われている。その際、これら複数のＰＣ鋼材３０の定着は、鋼桁部２０Ａにおける主桁２２Ａのウェブ２２Ａ１よりも橋軸直交方向内側において行われている。
【００４５】
具体的には、複数のＰＣ鋼材３０として、２０本のＰＣ鋼材３０が配置されている。その際、８本のＰＣ鋼材３０は、鋼コンクリート複合部２２Ｃにおける鋼桁部２０Ａ側の端面２２Ｃ１において、４段２列配置で行われている。また、残り１２本のＰＣ鋼材３０は、鋼コンクリート複合部２２Ｃにおける橋軸直交方向内側の壁面に突出形成された２箇所の定着用突起部２２Ｃ２、２２Ｃ３の各々において、６段１列配置で行われている。これら２箇所の定着用突起部２２Ｃ２、２２Ｃ３は、鋼コンクリート複合部２２Ｃの橋軸方向長さを略３等分した位置に形成されている。
【００４６】
以上詳述したように、本実施形態に係る混合桁２０は、その鋼桁部２０ＡとＰＣ桁部２０Ｂとの接合部２０Ｃにおける主桁部分が、その鋼桁部２０Ａの主桁２２Ａの端部を埋め込むようにしてコンクリートを打設することにより形成された鋼コンクリート複合部２２Ｃとして構成されており、そして、この鋼コンクリート複合部２２Ｃにおいて、ＰＣ桁部２０Ｂの主桁２２Ｂに配置される複数のＰＣ鋼材３０の定着が行われているので、その接合部２０Ｃに応力集中を生じさせることなく、鋼桁部２０ＡおよびＰＣ桁部２０Ｂ間における応力伝達を滑らかに行わせることができる。
【００４７】
その際、本実施形態に係る混合桁２０においては、従来のように鋼桁部とＰＣ桁部との接合部に位置する横桁に新たなＰＣ構造を設ける必要がなくなるので、そのための複数のＰＣ鋼材が不要となる。またこれにより、これら複数のＰＣ鋼材を定着する必要もなくなるので、横桁２６の橋軸方向長さを、構造上必要な長さまで大幅に短縮することができる。
【００４８】
しかも、本実施形態に係る混合桁２０においては、従来のようなセル状の鋼殻部が必要となるため、鋼重を大幅に低減することができ、さらに、この鋼殻部にコンクリートを充填する必要もなくなるので、施工性を大幅に向上させることができる。
【００４９】
したがって本実施形態によれば、鋼桁部２０ＡとＰＣ桁部２０Ｂとが径間部において橋軸方向に接合されてなる混合桁２０において、その接合部２０Ｃの軽量化を図ることができるとともに施工時間の短縮および施工コストの低減を図ることができる。
【００５０】
特に、本実施形態に係る混合桁２０は、そのＰＣ桁部２０Ｂに配置される複数のＰＣ鋼材３０の定着が、鋼コンクリート複合部２２Ｃにおける橋軸方向の複数箇所において行われる構成となっているので、鋼桁部２０ＡおよびＰＣ桁部２０Ｂ間における応力伝達を一層滑らかに行わせることができる。
【００５１】
また、本実施形態に係る混合桁２０は、その鋼桁部２０Ａの主桁２２Ａがプレートガーダとして構成されており、この主桁２２Ａの下フランジ２２Ａ３の下面により、鋼コンクリート複合部２２Ｃの下端面が構成されているので、鋼桁部２０ＡとＰＣ桁部２０Ｂとの接合部２０Ｃに生じる正の曲げモーメントにより、鋼コンクリート複合部２２Ｃのコンクリート部分が損傷してしまわないようにすることができる。
【００５２】
さらに、本実施形態に係る混合桁２０は、その鋼桁部２０Ａの主桁２２ＡにおけるＰＣ桁部２０Ｂ側の端部が、その下フランジ２２Ａ３よりも上フランジ２２Ａ２が短尺となるように形成されているので、鋼桁部２０ＡおよびＰＣ桁部２０Ｂ間における応力伝達をより一層滑らかに行わせることができる。
【００５３】
また、本実施形態に係る混合桁２０は、そのＰＣ桁部２０Ｂの主桁２２Ｂが鋼桁部２０Ａの主桁２２Ａに対して橋軸直交方向内側へ多少変位しているが、鋼桁部２０Ａの主桁２２Ａは、鋼コンクリート複合部２２Ｃの位置において、その下フランジ２２Ａ３が、そのウェブ２２Ａ１よりも橋軸直交方向内側に位置する部分が相対的に広幅となるように形成されており、そして、複数のＰＣ鋼材３０の鋼コンクリート複合部２２Ｃへの定着が、ウェブ２２Ａ１よりも橋軸直交方向内側において行われているので、複数のＰＣ鋼材３０の配置を無理なく行うことができ、これにより鋼桁部２０ＡおよびＰＣ桁部２０Ｂ間における応力伝達機能を十分維持することができる。
【００５４】
さらに、本実施形態に係る混合桁２０においては、鋼桁部２０Ａの主桁２２ＡにおけるＰＣ桁部２０Ｂ側の端部の、鋼コンクリート複合部２２Ｃに埋め込まれる部分に、複数のスタッドジベル２８が設けられているので、鋼桁部２０ＡおよびＰＣ桁部２０Ｂ間における応力伝達をより一層確実に行わせることができる。
【００５５】
なお、上記実施形態においては、鋼桁部２０Ａの主桁２２ＡにおけるＰＣ桁部２０Ｂ側の端部において、そのウェブ２２Ａ１が下フランジ２２Ａ３と同じ位置まで延びているものとして説明したが、このようにする代わりに、ウェブ２２Ａ１のＰＣ桁部２０Ｂ側の端縁が、上フランジ２２Ａ２から下フランジ２２Ａ３にかけて斜めに傾斜して延びるように形成された構成とすることも可能である。
【００５６】
また、上記実施形態においては、鋼桁部２０Ａの主桁２２Ａにおける鋼コンクリート複合部２２Ｃへの埋込み部分に、複数のスタッドジベル２８が設けられているものとして説明したが、これら複数のスタッドジベル２８に代えて、主桁２２Ａにおける上記埋込み部分に位置するウェブ２２Ａ１、上フランジ２２Ａ、あるいは下フランジ２２Ａ３に、複数の小孔を形成することにより、ジベルを構成することも可能である。
【００５７】
さらに、上記実施形態においては、ＰＣ桁部２０Ｂの主桁２２Ｂが鋼桁部２０Ａの主桁２２Ａに対して橋軸直交方向内側へ変位しているものとして説明したが、ＰＣ桁部２０Ｂの主桁２２Ｂが鋼桁部２０Ａの主桁２２Ａに対して橋軸直交方向外側へ変位している場合においても、主桁２２の構成を、複数のＰＣ鋼材３０の配置を含めて、鋼桁部２０Ａにおける主桁２２Ａのウェブ２２Ａ１に関して左右対称の形状を有する構成とすれば、上記実施形態と同様の作用効果を得ることができる。
【００５８】
なお、鋼桁部２０Ａの主桁２２ＡとＰＣ桁部２０Ｂの主桁２２Ｂとが一直線上に配置されている場合においても、上記実施形態の構成を採用することにより、上記実施形態と同様の作用効果が得られることはもちろんである。その際、複数のＰＣ鋼材３０の定着を、鋼コンクリート複合部２２Ｃの左右両側において行うようにすることも可能である。
【００５９】
また、上記実施形態に係る混合桁２０は、左右１対の主桁２０を有しているものとして説明したが、主桁２０が単一である場合、あるいは、主桁２０が３つ以上である場合においても、上記実施形態の構成を採用することにより、上記実施形態と同様の作用効果を得ることができる。
【符号の説明】
【００６０】
１０  連続桁橋
１２  鋼桁
２０  混合桁
２０Ａ  鋼桁部
２０Ｂ  ＰＣ桁部
２０Ｃ  接合部
２２、２２Ａ、２２Ｂ  主桁
２２Ａ１  ウェブ
２２Ａ２  上フランジ
２２Ａ３  下フランジ
２２Ｃ  鋼コンクリート複合部
２２Ｃ１  端面
２２Ｃ２、２２Ｃ３  定着用突起部
２４  上床版
２６  横桁
２８  スタッドジベル
３０  ＰＣ鋼材
【図１】
0005548749.tif 000002
【図２】
0005548749.tif 000003
【図３】
0005548749.tif 000004
【図４】
0005548749.tif 000005
【図５】
0005548749.tif 000006
【図６】
0005548749.tif 000007
【図７】
0005548749.tif 000008